(57)【要約】    【課題】      端末装置のユーザ及び情報提供者に負担をかけることなく、付加情報を効率よく配信することのできる端末装置、ＩＣカード、サービス情報提供システムを提供すること。    【解決手段】  端末装置である携帯電話器３００では、送信装置である改札機４００から付加情報を受信すると、携帯電話器３００に装着されたＩＣカード２００の表示情報生成部２０６に予め登録した個人の属性情報によりその付加情報をフィルタリングして、その個人属性に合った表示情報を生成する。そして、携帯電話器３００の表示機能決定部３１０がその個人属性に合った表示情報と、携帯電話機３００の処理能力とに応じて、その表示情報を表示する際の表示機能を判断して、判断した表示機能にて表示情報を表示部３０９に表示する。  【選択図】      図１
2005092870.tif 000002
【特許請求の範囲】
【請求項１】
送信装置から付加情報を受信する端末装置であって、
前記付加情報をユーザの個人情報に基づきフィルタリングして出力情報を生成する生成手段と、
前記出力情報と、当該端末装置の処理能力とに基づいて、前記出力情報を出力する際の出力機能を決定する決定手段と、
前記決定された出力機能に従って前記出力情報を出力処理する処理手段と、
を備えたことを特徴とする端末装置。
【請求項２】
前記生成手段は、端末装置に挿脱可能で、前記付加情報を通信可能なＩＣカードに内蔵され、
前記ユーザの個人情報とは、前記端末装置のユーザの個人情報、または前記ＩＣカードのユーザの個人情報であることを特徴とする請求項１記載の端末装置。
【請求項３】
さらに、
他の通信端末と通信を行う通信手段を備え、
前記処理手段は、さらに、前記通信手段の通信状況を検出し、
前記決定手段は、前記出力情報と、当該端末装置の処理能力と、前記通信状況とに基づいて前記出力情報を出力する際の出力機能を決定する、
ことを特徴とする請求項１記載の端末装置。
【請求項４】
前記付加情報にアクセス先を示すアクセス情報が含まれ、かつ、前記通信状況が通信可能である場合、
前記処理手段は、前記通信手段を介してアクセス情報へのアクセスを行い、そのアクセス結果を出力する、
ことを特徴とする請求項３記載の端末装置。
【請求項５】
前記付加情報にアクセス先を示すアクセス情報が含まれ、かつ、前記通信状況が通信可能である場合、
前記処理手段は、前記通信手段を介してアクセス情報へのアクセスが行えるように前記アクセス情報を表示して出力する、
ことを特徴とする請求項３記載の端末装置。
【請求項６】
前記生成手段は、さらに、前記ユーザの個人情報に基づきフィルタリングした出力情報に、アクセス先を示すアクセス情報が含まれている場合、さらに、そのアクセス情報が当該端末装置のユーザに応じアクセス不可のアドレス、サイトの種別など設定したアクセス条件に適合するか否かを決定し、前記アクセス条件に適合しないアクセス情報である場合、そのアクセス情報を出力情報としないか、またはそのアクセス情報を出力情報とすると共に前記アクセス条件に適合しないアクセス情報であることを示す情報を出力情報とする、
ことを特徴とする請求項３記載の端末装置。
【請求項７】
前記付加情報にアクセス先を示すアクセス情報が含まれ、かつ、前記通信状況が通信不可能である場合、
前記処理手段は、前記アクセス情報へのアクセスを可能とするため、前記通信手段を通信可能とする指示を促す情報を出力する、
ことを特徴とする請求項３記載の端末装置。
【請求項８】
端末装置に接続されると共に、送信装置から付加情報を受信するＩＣカードであって、
前記付加情報を前記ユーザの個人情報に基づきフィルタリングして出力情報を生成し、前記端末装置へ出力する生成手段を、
備えたことを特徴とするＩＣカード。
【請求項９】
さらに、前記ＩＣカードが端末装置に接続された際、その端末装置より当該端末装置の処理能力を取得する処理能力取得手段と、
前記出力情報と、取得した当該端末装置の処理能力とに基づいて、前記出力情報を出力する際の出力機能を決定する決定手段を備え、
前記生成手段は、前記出力情報を前記端末装置へ出力する一方、前記決定手段は、決定した出力機能を前記端末装置へ出力する、
ことを特徴とする請求項８記載のＩＣカード。
【請求項１０】
さらに、前記ＩＣカードが端末装置に接続された際、その端末装置より当該端末装置における通信状況に関する情報を取得する通信状況取得手段を備え、
前記決定手段は、前記出力情報と、当該端末装置の処理能力と、前記通信状況とに基づいて前記出力情報を出力する際の出力機能を決定する、
ことを特徴とする請求項８記載のＩＣカード。
【請求項１１】
前記付加情報は、テーマパークにおけるアトラクションの混雑状況であり、
前記生成手段は、前記ユーザの個人情報として、当該端末装置のユーザが改札済みのアトラクションの情報を記憶しており、前記付加情報であるテーマパークにおけるアトラクションの混雑状況を、前記ユーザの個人情報である改札済みのアトラクションの情報に基づきフィルタリングして、当該端末装置のユーザが改札済みのアトラクションの混雑状況のみを出力情報として生成する、
ことを特徴とする請求項１記載の端末装置。
【請求項１２】
前記付加情報は、商品のセール情報であり、
前記生成手段は、前記付加情報である商品のセール情報を、前記ユーザの個人情報に基づきフィルタリングして、前記ユーザの個人情報に応じた商品のセール情報のみを出力情報として生成する、
ことを特徴とする請求項１記載の端末装置。
【請求項１３】
前記付加情報は、バスや電車等の輸送機関における時刻情報であり、
前記生成手段は、前記ユーザの個人情報として、当該端末装置のユーザが購入した乗車券の区間情報を記憶しており、前記付加情報である輸送機関における時刻情報を、前記ユーザの個人情報である前記乗車券の区間情報に基づきフィルタリングして、当該端末装置のユーザが購入した前記乗車券の区間情報に応じた前記輸送機関における時刻情報のみを出力情報として生成する、
ことを特徴とする請求項１記載の端末装置。
【請求項１４】
送信装置から付加情報を受信するＩＣカードが装着される端末装置であって、
前記ＩＣカードが前記付加情報をユーザの個人情報に基づきフィルタリングして生成した出力情報と、当該端末装置の処理能力とに基づいて、前記出力情報を出力する際の出力機能を決定する決定手段と、
前記決定された出力機能に従って前記出力情報を出力処理する処理手段と、
を備えたことを特徴とする端末装置。
【請求項１５】
送信装置から付加情報を受信するＩＣカードが装着される端末装置であって、
前記ＩＣカードが前記付加情報を前記ユーザの個人情報に基づきフィルタリングして生成した出力情報と、当該端末装置の処理能力とに基づいて、決定した前記出力情報を出力する際の出力機能に従って、前記出力情報を出力処理する処理手段、
を備えたことを特徴とする端末装置。
【請求項１６】
付加情報を送信する送信装置と、前記付加装置から付加情報を受信するＩＣカードとから構成されたサービス情報提供システムであって、
前記ＩＣカードは、
端末装置に装着されるものであって、
前記付加情報をユーザの個人情報に基づきフィルタリングして出力情報を生成する生成手段と、
前記出力情報と、当該端末装置の処理能力とに基づいて、前記端末装置において前記出力情報を出力する際の出力機能を決定する決定手段と、
を備えたことを特徴とするサービス情報提供システム。
【請求項１７】
付加情報を送信する送信装置と、前記付加装置から付加情報を受信する端末装置とから構成されたサービス情報提供システムであって、
前記端末装置は、
前記付加情報をユーザの個人情報に基づきフィルタリングして出力情報を生成する生成手段と、
前記出力情報と、当該端末装置の処理能力とに基づいて、前記端末装置において前記出力情報を出力する際の出力機能を決定する決定手段と、
を備えたことを特徴とするサービス情報提供システム。
【発明の詳細な説明】
【技術分野】
【０００１】
本発明は、付加情報を受信する端末装置、ＩＣカード、及びＩＣカードと付加情報を送信する送信装置とからなるサービス情報提供システムに関する。
【背景技術】
【０００２】
従来、携帯電話器や携帯型情報端末などの携帯端末では、電子メール機能及びブラウザ機能を搭載するものが普及してきており、これらの機能を利用して各種サービス情報を配信する情報提供サービスが展開されている。
【０００３】
例えば、特許文献１に記載された配送条件付電子情報システムでは、利用者毎に設けられる電子私書箱に電子情報を格納しておき、電子情報のヘッダ情報を電子私書箱を介して利用者に配送する。利用者は、配送されたヘッダ情報を見て、電子情報を受信したければ、電子私書箱からの配送を指示することにより、情報提供者が提供する電子情報を配送先の利用者の属性に応じて配送するサービスを提案している。
【０００４】
また、特許文献２に記載された携帯端末では、ネットワークを介して取得したコンテンツに内封された情報配信指示と、個人認証カードに記録されている個人情報に基づいて表示させる情報を選択させることにより、利用者の属性に合致した広告情報を受けられるサービスを提案している。
【特許文献１】特開２００２−２４４９９９号公報
【特許文献２】特開２００３−３０５３０号公報
【発明の開示】
【発明が解決しようとする課題】
【０００５】
しかしながら、特許文献１に記載された配送条件付電子情報システムでは、個人情報をサーバで管理する必要があるため、システムコストが高くなるという問題があり、また、ユーザがサーバに情報提供指示を送信しなければならないため、操作が煩雑であるという問題があった。
【０００６】
また、特許文献２に記載された携帯端末では、情報提供者が予め利用者の属性に合わせて配信情報を整理する必要があり、情報提供者に対する負担が大きく、サービスの展開が容易でないという問題があった。
【０００７】
本発明はかかる点に鑑みてなされたものであり、端末装置のユーザ及び情報提供者に負担をかけることなく、付加情報を効率よく配信することができる端末装置、ＩＣカード、サービス情報提供システムを提供することを目的とする。
【課題を解決するための手段】
【０００８】
第１の発明は、送信装置から付加情報を受信する端末装置であって、前記付加情報をユーザの個人情報に基づきフィルタリングして出力情報を生成する生成手段と、前記出力情報と、当該端末装置の処理能力とに基づいて、前記出力情報を出力する際の出力機能を決定する決定手段と、前記決定された出力機能に従って前記出力情報を出力処理する処理手段と、を備えたことを特徴とする端末装置である。
【０００９】
この発明によれば、送信装置から送信される付加情報をフィルタリングして生成した出力情報を端末装置の出力機能に自動的に合わせて提供することができ、端末装置のユーザ及び付加情報を提供する情報提供者に負担をかけることなく、付加情報の配信を行うことができる。
【００１０】
第２の発明は、第１の発明において、前記生成手段は、端末装置に挿脱可能で、前記付加情報を通信可能なＩＣカードに内蔵され、前記ユーザの個人情報とは、前記端末装置のユーザの個人情報、または前記ＩＣカードのユーザの個人情報である端末装置である。
【００１１】
この発明によれば、端末装置とは別のＩＣカードにより生成手段の機能を提供できると共に、送信装置から送信される付加情報を、端末装置のユーザの個人情報、またはＩＣカードのユーザの個人情報によりフィルタリングして端末装置の出力機能に自動的に合わせて提供することができ、端末装置のユーザ及び付加情報を提供する情報提供者に負担をかけることなく、個人の属性に応じた付加情報の配信を確実に行うことができる。
【００１２】
第３の発明は、第１の発明において、さらに、他の通信端末と通信を行う通信手段を備え、前記処理手段は、さらに、前記通信手段の通信状況を検出し、前記決定手段は、前記出力情報と、当該端末装置の処理能力と、前記通信状況とに基づいて前記出力情報を出力する際の出力機能を決定する端末装置である。
【００１３】
この発明によれば、通信状況を検出して、出力情報と、当該端末装置の処理能力と、通信状況とに基づいて出力機能を決定するため、通信状況も加味して最適な出力機能を決定することができる。
【００１４】
第４の発明は、第３の発明において、前記付加情報にアクセス先を示すアクセス情報が含まれ、かつ、前記通信状況が通信可能である場合、前記処理手段は、前記通信手段を介してアクセス情報へのアクセスを行い、そのアクセス結果を出力する端末装置である。
【００１５】
この発明によれば、アクセス先へのアクセス結果を端末装置で確認することができるとともに、アクセスするための手間を低減することができる。
【００１６】
第５の発明は、第３の発明において、前記付加情報にアクセス先を示すアクセス情報が含まれ、かつ、前記通信状況が通信可能である場合、前記処理手段は、前記通信手段を介してアクセス情報へのアクセスが行えるように前記アクセス情報を表示して出力する端末装置である。
【００１７】
この発明によれば、通信状況が通信可能である場合には、そのアクセス情報へアクセスするのではなく、そのアクセス情報を表示してアクセスを促すため、無駄なアクセス操作を低減することができ、通信接続コストを低減することができる。
【００１８】
第６の発明は、第３の発明において、前記生成手段は、さらに、前記ユーザの個人情報に基づきフィルタリングした出力情報に、アクセス先を示すアクセス情報が含まれている場合、さらに、そのアクセス情報が当該端末装置のユーザに応じアクセス不可のアドレス、サイトの種別など設定したアクセス条件に適合するか否かを決定し、前記アクセス条件に適合しないアクセス情報である場合、そのアクセス情報を出力情報としないか、またはそのアクセス情報を出力情報とすると共に前記アクセス条件に適合しないアクセス情報であることを示す情報を出力情報とする端末装置である。
【００１９】
この発明によれば、ユーザの個人情報に基づきフィルタリングした出力情報にアクセス先を示すアクセス情報が含まれている場合、さらに、そのアクセス情報が当該端末装置のユーザに応じたアクセス条件に適合するか否かを決定して出力情報にするため、端末装置ユーザ及び付加情報を提供する情報提供者に負担をかけることなく、ユーザに応じたアクセス情報を提供することが出来る。
【００２０】
第７の発明は、第３の発明において、前記付加情報にアクセス先を示すアクセス情報が含まれ、かつ、前記通信状況が通信不可能である場合、前記処理手段は、前記アクセス情報へのアクセスを可能とするため、前記通信手段を通信可能とする指示を促す情報を出力する端末装置である。
【００２１】
この発明によれば、通信状況が通信不可能である場合、通信手段を通信可能とする指示を促すため、無駄なアクセス操作を低減することができ、通信接続コストを低減することができる。
【００２２】
第８の発明は、端末装置に接続されると共に、送信装置から付加情報を受信するＩＣカードであって、前記付加情報を前記ユーザの個人情報に基づきフィルタリングして出力情報を生成し、前記端末装置へ出力する生成手段を、備えたＩＣカードである。
【００２３】
この発明によれば、ＩＣカードが受信した付加情報をユーザの個人情報に基づきフィルタリングして生成した出力情報を端末装置へ出力するため、端末装置のユーザ及び付加情報を提供する情報提供者に負担をかけることなく、付加情報の配信を行うことができる。
【００２４】
第９の発明は、第８の発明において、さらに、前記ＩＣカードが端末装置に接続された際、その端末装置より当該端末装置の処理能力を取得する処理能力取得手段と、前記出力情報と、取得した当該端末装置の処理能力とに基づいて、前記出力情報を出力する際の出力機能を決定する決定手段を備え、前記生成手段は、前記出力情報を前記端末装置へ出力する一方、前記決定手段は、決定した出力機能を前記端末装置へ出力するＩＣカードである。
【００２５】
この発明によれば、ＩＣカードにより送信装置から送信される付加情報をフィルタリングして生成した出力情報を端末装置の出力機能に自動的に合わせて出力することができ、端末装置のユーザ及び付加情報を提供する情報提供者に負担をかけることなく、付加情報の配信を行うことができる。
【００２６】
第１０の発明は、第８の発明において、さらに、前記ＩＣカードが端末装置に接続された際、その端末装置より当該端末装置における通信状況に関する情報を取得する通信状況取得手段を備え、前記決定手段は、前記出力情報と、当該端末装置の処理能力と、前記通信状況とに基づいて前記出力情報を出力する際の出力機能を決定するＩＣカードである。
【００２７】
この発明によれば、ＩＣカードにより端末装置の通信状況を自動的に取得して、通信状況も加味して端末装置の出力機能を決定することができ、端末装置の通信状況を監視する手間と出力機能を選択する手間を省略することができる。
【００２８】
第１１の発明は、第１の発明において、前記付加情報は、テーマパークにおけるアトラクションの混雑状況であり、前記生成手段は、前記ユーザの個人情報として、当該端末装置のユーザが改札済みのアトラクションの情報を記憶しており、前記付加情報であるテーマパークにおけるアトラクションの混雑状況を、前記ユーザの個人情報である改札済みのアトラクションの情報に基づきフィルタリングして、当該端末装置のユーザが改札済みのアトラクションの混雑状況のみを出力情報として生成する端末装置である。
【００２９】
この発明によれば、ユーザは、所定の場所まで行かなくても、人気の高いアトラクションの混雑状況を手元の端末装置により確認することができ、効率的にテーマパークを楽しむことができる。
【００３０】
第１２の発明は、第１の発明において、前記付加情報は、商品のセール情報であり、前記生成手段は、前記付加情報である商品のセール情報を、前記ユーザの個人情報に基づきフィルタリングして、前記ユーザの個人情報に応じた商品のセール情報のみを出力情報として生成する端末装置である。
【００３１】
この発明によれば、ユーザの個人情報に基づき不要なセール情報が削除されて出力されるため、好みの商品をセールしている店舗を効率よく回ること等ができる。
【００３２】
第１３の発明は、第１の発明において、前記付加情報は、バスや電車等の輸送機関における時刻情報であり、前記生成手段は、前記ユーザの個人情報として、当該端末装置のユーザが購入した乗車券の区間情報を記憶しており、前記付加情報である輸送機関における時刻情報を、前記ユーザの個人情報である前記乗車券の区間情報に基づきフィルタリングして、当該端末装置のユーザが購入した前記乗車券の区間情報に応じた前記輸送機関における時刻情報のみを出力情報として生成する端末装置である。
【００３３】
この発明によれば、ユーザは、乗車券の区間情報によって不要な情報が削除されて出力されるため、煩雑な時刻表に迷うことなく、行き先の到着予定時刻等を容易に知ることができる。
【００３４】
第１４の発明は、送信装置から付加情報を受信するＩＣカードが装着される端末装置であって、前記ＩＣカードが前記付加情報をユーザの個人情報に基づきフィルタリングして生成した出力情報と、当該端末装置の処理能力とに基づいて、前記出力情報を出力する際の出力機能を決定する決定手段と、前記決定された出力機能に従って前記出力情報を出力処理する処理手段とを備えた端末装置である。
【００３５】
この発明によれば、端末装置のユーザ及び付加情報を提供する情報提供者に負担をかけることなく、付加情報の配信を行うことができる。
【００３６】
第１５の発明は、送信装置から付加情報を受信するＩＣカードが装着される端末装置であって、前記ＩＣカードが前記付加情報を前記ユーザの個人情報に基づきフィルタリングして生成した出力情報と、当該端末装置の処理能力とに基づいて、決定した前記出力情報を出力する際の出力機能に従って、前記出力情報を出力処理する処理手段、を備えた端末装置である。
【００３７】
この発明によれば、端末装置のユーザ及び付加情報を提供する情報提供者に負担をかけることなく、付加情報の配信を行うことができる。
【００３８】
第１６の発明は、付加情報を送信する送信装置と、前記付加装置から付加情報を受信するＩＣカードとから構成されたサービス情報提供システムであって、前記ＩＣカードは、端末装置に装着されるものであって、前記付加情報をユーザの個人情報に基づきフィルタリングして出力情報を生成する生成手段と、前記出力情報と、当該端末装置の処理能力とに基づいて、前記端末装置において前記出力情報を出力する際の出力機能を決定する決定手段とを備えたサービス情報提供システムである。
【００３９】
この発明によれば、端末装置のユーザ及び付加情報を提供する情報提供者に負担をかけることなく、付加情報の配信を行うことができる。
【００４０】
第１７の発明は、付加情報を送信する送信装置と、前記付加装置から付加情報を受信する端末装置とから構成されたサービス情報提供システムであって、前記端末装置は、前記付加情報をユーザの個人情報に基づきフィルタリングして出力情報を生成する生成手段と、前記出力情報と、当該端末装置の処理能力とに基づいて、前記端末装置において前記出力情報を出力する際の出力機能を決定する決定手段とを備えたサービス情報提供システムである。
【００４１】
この発明によれば、端末装置のユーザ及び付加情報を提供する情報提供者に負担をかけることなく、付加情報の配信を行うことができる。
【発明の効果】
【００４２】
本発明によれば、送信装置からの付加情報をユーザの個人情報に基づきフィルタリングして出力情報を生成し、その出力情報と、当該端末装置の処理能力とに基づいて、出力情報を出力する際の出力機能を決定して出力処理するので、個人属性に合った付加情報を端末装置の出力機能に自動的に合わせて出力することができ、端末装置のユーザ及び情報提供者に負担をかけることなく、付加情報を効率よく配信することができる。
【発明を実施するための最良の形態】
【００４３】
本発明の実施の形態は、情報提供者が設置する送信装置から送信される付加情報を、端末装置内に装着したＩＣカードに予め登録した個人の属性情報などの個人情報によりフィルタリングして個人属性に合った付加情報を、端末装置の処理能力に応じて自動的に表示する等、出力可能にして、端末装置のユーザ及び情報提供者に負担をかけることなく、個人の属性に応じた情報の配信を実現するようにしたものである。
【００４４】
以下、本発明の実施の形態について図面を参照して詳細に説明する。
【００４５】
（実施の形態１）
図１は、本発明の実施の形態１に係るサービス情報提供システムの構成を示すブロック図である。図１に示すサービス情報提供システムは、本発明の端末装置である携帯電話器３００と、携帯電話器３００に装着されたＩＣカード２００と、本発明の送信装置であるローカルサーバである改札機４００と、を備えている。
【００４６】
また、ＩＣカード２００は、ＳＩＭ（Subscriber Identity Module）カードやＵＩＭ（User Identity Module）カードのように、携帯電話器３００に対して、カードスロットなどにより着脱可能に装着されていてもよいし、又はチップ埋め込みなど固定的に接続されて利用されてもよいし、あるいは、接続されることなく全く独立したデバイスとして利用されてもよい。
【００４７】
ＩＣカード２００は、アンテナ２０１と、非接触Ｉ／Ｆ２０２と、接触Ｉ／Ｆ２０３と、ＣＰＵ２０４と、メモリ２０５と、表示情報生成部２０６と、を備えている。
【００４８】
非接触Ｉ／Ｆ２０２は、例えば、ＩＳＯ（International Organization for Standardization）／ＩＥＣ（International Electrotechnical Commission）１８０００規格に基づくエアインタフェース及びプロトコル技術を用いた無線通信機能を有する。
【００４９】
非接触Ｉ／Ｆ２０２は、アンテナ２０１及び改札機４００のアンテナ４０１を介して、改札機４００内の非接触Ｉ／Ｆ４０２から送信されるコマンドを受信して通信接続し、ＣＰＵ２０４から入力される改札データをレスポンスとして非接触Ｉ／Ｆ４０２に送信し、非接触Ｉ／Ｆ４０２から送信される「付加情報」又は「サービス処理情報（例えば、改札情報）＋付加情報」を受信してＣＰＵ２０４に出力する。
【００５０】
接触Ｉ／Ｆ２０３は、携帯電話器３００内の接触Ｉ／Ｆ３１１と接触し、ＣＰＵ２０４から入力される各種情報や制御信号などを接触Ｉ／Ｆ３１１に出力するとともに、接触Ｉ／Ｆ３１１から入力される各種情報や制御信号などをＣＰＵ２０４に出力する。
【００５１】
ＣＰＵ（Central Processing Unit）２０４は、メモリ２０５内に記憶された制御プログラムによりＩＣカード２００内の各部を制御し、非接触Ｉ／Ｆ２０２から入力される「付加情報」又は「サービス処理情報（例えば、改札情報）＋付加情報」のうち、付加情報を表示情報生成部２０６に出力し、表示情報生成部２０６から入力される付加情報に基づく表示情報を接触Ｉ／Ｆ２０３に出力する、などの処理を実行する。
【００５２】
メモリ２０５は、ＣＰＵ２０４において実行される制御プログラム及び改札データなどを記憶する。
【００５３】
表示情報生成部２０６は、図２に示すように、表示情報フィルタ２０６ａと、付加情報解析部２０６ｂと、カード情報格納部２０６ｃと、表示情報更新部２０６ｄと、アクセス管理部２０６ｅと、を備えている。
【００５４】
表示情報フィルタ２０６ａは、ＣＰＵ２０４から付加情報が入力されると、カード情報格納部２０６ｃに予め格納されたユーザの個人情報を読み出し、この個人情報に基づく解析項目と、入力された付加情報とを付加情報解析部２０６ｂに出力し、付加情報解析部２０６ｂから入力される付加情報の解析結果と、先に読み出した個人情報とを用いて、付加情報はユーザに対する表示情報であると判断した場合、付加情報を表示情報更新部２０６ｄに出力して、情報提供者から指定されたデータフォーマットに再編集させ、その編集後の付加情報をＣＰＵ２０４に出力する。
【００５５】
また、表示情報フィルタ２０６ａは、付加情報にアクセス先のアドレスが含まれ、このアドレスに自動的にアクセスするように設定されている場合、アクセス管理部２０６ｅに予め格納されたユーザのアクセス条件を読み出し、このアクセス条件に基づいてアクセス先への通信接続が可能か判断し、不可能の場合は、付加情報を携帯電話器３００に送信することを中止する。
【００５６】
付加情報解析部２０６ｂは、表示情報フィルタ２０６ａから入力される付加情報を、表示情報フィルタ２０６ａから入力される解析項目に従って解析し、その解析結果を表示情報フィルタ２０６ａに出力する。なお、付加情報解析部２０６ｂは、解析項目に基づいて付加情報を解析する際、例えば、解析項目ごとにＹＥＳ／ＮＯで判断可能な部分と、ＹＥＳ／ＮＯで判断できない学習・推論機能を用いて解析する部分と、を分けて解析するものとする。
【００５７】
カード情報格納部２０６ｃは、携帯電話器３００のユーザ、またはＩＣカード２００自体のユーザの個人情報を格納する。この個人情報は、例えば、図３に示すように、名前、生年月日、性別などである。このカード情報格納部２０６ｃに格納される個人情報は、ユーザ自身が入力するものではなく、信頼性のある第三者、例えば、携帯電話器３００を運用する通信会社などにより予め登録された個人情報を格納する。なお、カード情報格納部２０６ｃがＩＣカード２００自体のユーザの個人情報を格納している場合には、携帯電話機３００を新しいものに買い換えたとしても、ＩＣカード２００をそのまま使用すれば、今までＩＣカード２００に格納されている個人情報をそのまま使用することができる。
【００５８】
また、個人情報は、カード情報格納部２０６ｃ内の書き換え不可能な領域に記憶させておくものとする。これらの対策をとることにより、個人情報の改竄によるユーザの成りすましや、情報提供者が意図しないユーザに付加情報が配信されることを防止することが可能になる。
【００５９】
また、個人情報は、図３に示したものに限らず、例えば、住所、電話番号、メールアドレス、カード番号、会員証、回数券、定期券、チケット、運転免許証、保険証、診察券、パスポート、社員証など、サービスを提供する付加情報に関わるものであれば、特に限定するものではない。
【００６０】
表示情報更新部２０６ｄは、表示情報フィルタ２０６ａから入力された付加情報を、改札機４００から送信されてきたデータフォーマットに再編集して表示情報フィルタ２０６ａに出力する。
【００６１】
なお、この表示情報更新部２０６ｄは、付加的な機能であり、必ずしも搭載しなくても良い。この場合、表示情報更新部２０６ｄの機能は、携帯電話器３００側に持たせるようにしても良い。
【００６２】
アクセス管理部２０６ｅは、携帯電話器３００のユーザが予め希望するアクセス条件（例えば、アクセス不可のアドレス、サイトの種別など）を記憶する。
【００６３】
携帯電話器３００は、アンテナ３０１と、通信部３０２と、ＣＰＵ３０３と、メモリ３０４と、コンバータ３０５と、マイクロホン３０６と、スピーカ３０７と、入力部３０８と、表示部３０９と、表示機能決定部３１０と、接触Ｉ／Ｆ３１１と、を備えている。
【００６４】
通信部３０２は、アンテナ３０１を介して基地局にアクセスし、基地局からネットワークを介して相手先の携帯電話器やＩＳＰ（Internet Services Provider）に接続し、音声パケットやデータパケットを送受信する通信機能を有する。通信部３０２は、受信した音声パケットやデータパケットをＣＰＵ３０３に出力する。
【００６５】
ＣＰＵ３０３は、メモリ３０４内に記憶された制御プログラムにより携帯電話器３００内の各部を制御し、通信部３０２とコンバータ３０５との間で音声パケットを授受し、通信部３０２から入力されるデータパケットをデコードして表示部３０９に表示し、また、入力部３０８から入力されるテキストデータをデータパケット化して通信部３０２に出力する。
【００６６】
また、ＣＰＵ３０３は、接触Ｉ／Ｆ３１１から付加情報が入力されると、表示機能決定部３１０を起動して、入力された付加情報を表示機能決定部３１０に出力し、表示機能決定部３１０から入力される表示機能の起動要求（エディタ、又はブラウザ）に応じて、付加情報を指定された表示機能で表示部３０９に表示する。
【００６７】
また、ＣＰＵ３０３は、通信部３０２の通信状況（通信可／通信不可）を常時検出して管理し、表示機能決定部３１０からの参照要求により、その通信状況を表示機能決定部３１０に通知する。
【００６８】
メモリ３０４は、ＣＰＵ３０３において実行される制御プログラム、エディタプログラム、ブラウザプログラムなどを記憶する。
【００６９】
コンバータ３０５は、マイクロホン３０６から入力される音声信号を音声パケット化してＣＰＵ３０３に出力し、ＣＰＵ３０３から入力される音声パケットをデコードして音声信号に戻してスピーカ３０７に出力する。
【００７０】
マイクロホン３０６は、ユーザの音声を音声信号に変換してコンバータ３０５に出力する。スピーカ３０７は、コンバータ３０５から入力される音声信号を再生する。入力部３０８は、電源キー、テンキー、各種ファンクションキーなどを備えており、ユーザのキー操作に応じた入力信号をＣＰＵ３０３に出力する。
【００７１】
表示部３０９は、液晶表示パネルなどの表示デバイスにより構成され、ＣＰＵ３０３から入力される表示データと表示制御信号により、付加情報などを表示する。
【００７２】
表示機能決定部３１０は、図４に示すように、表示機能フィルタ３１０ａと、端末処理能力格納部３１０ｂと、表示情報変換部３１０ｃと、を備えている。
【００７３】
表示機能フィルタ３１０ａは、ＣＰＵ３０３により起動され、付加情報が入力されると、その付加情報の内容に基づいて、端末処理能力格納部３１０ｂに予め格納された処理能力情報を参照して表示機能（ブラウザか、エディタか）を決定し、付加情報のうち表示データに変換が必要なデータを判断し、そのデータを表示情報変換部３１０ｃに出力して表示データに変換させ、決定した表示機能とともにＣＰＵ３０３に出力する。
【００７４】
端末処理能力格納部３１０ｂは、携帯電話器３００の処理能力情報を格納する。この処理能力情報は、例えば、図５に示すように、ブラウザ、エディタの表示機能毎に、電波の要／不要、再生可能なファイルサイズ、音声データ再生の可／不可、画像データ再生の可／不可、起動の早さ、メモリ消費量を対応付けて記憶している。
【００７５】
この場合、電波の要／不要は、付加情報を表示するために通信部３０２による通信が必要か不要かを示している。表示機能フィルタ３１０ａは、表示機能としてブラウザを選択した場合は、電波要であるため、ＣＰＵ３０３において管理されている通信部３０２の通信状況（通信可／通信不可）の通知を要求する。
【００７６】
また、図５において、起動の早さに「１」と「２」を設定しているが、この場合、ブラウザよりもエディタのほうが起動時間が早いことを示している。メモリ消費量にも「１」と「２」を設定しているが、ブラウザよりもエディタのほうがメモリの消費量が少ないことを示している。
【００７７】
表示情報変換部３１０ｃは、表示機能フィルタ３１０ａから入力されたデータを表示データに変換して表示機能フィルタ３１０ａに出力する。なお、この表示情報変換部３１０ｃは、付加的な機能であり、必ずしも搭載しなくても良い。この場合、表示情報変換部３１０ｃの機能は、ＩＣカード２００側に持たせるようにしても良い。
【００７８】
改札機４００は、アンテナ４０１と、非接触Ｉ／Ｆ４０２と、ＣＰＵ４０３と、メモリ４０４と、を備えている。
【００７９】
非接触Ｉ／Ｆ４０２は、例えば、ＩＳＯ／ＩＥＣ１８０００規格に基づくエアインタフェース及びプロトコル技術を用いた無線通信機能を有する。非接触Ｉ／Ｆ４０２は、アンテナ４０１及びＩＣカード２００のアンテナ２０１を介して、ＩＣカード２００内の非接触Ｉ／Ｆ２０２にコマンドを送信して通信接続し、非接触Ｉ／Ｆ２０２から改札データをレスポンスとして受信してＣＰＵ４０３に出力し、ＣＰＵ４０３から入力される改札情報及びサービスに関わる付加情報を非接触Ｉ／Ｆ２０２に送信する。
【００８０】
ＣＰＵ４０３は、メモリ４０４に記憶された制御プログラムにより改札機４００内の各部を制御し、非接触Ｉ／Ｆ４０２から入力される改札データを改札処理し、その処理結果として改札情報を非接触Ｉ／Ｆ４０２に出力するとともに、受信した改札データに基づいてメモリ４０４からサービスに関わる「付加情報」又は「サービス処理情報（例えば、改札情報）＋付加情報」を読み出して、非接触Ｉ／Ｆ４０２に出力する。
【００８１】
メモリ４０４は、ＣＰＵ４０３が実行する制御プログラム及びサービスに関わるサービス処理情報や付加情報などを記憶する。
【００８２】
なお、本実施の形態１では、改札機４００から受信した各種情報は、主に、携帯電話機３００における表示部３０９により表示して出力するので、本発明における「出力情報」は実施の形態における「表示情報」に相当し、本発明における「出力機能」は実施の形態における「表示機能」、本発明における「生成手段」は実施の形態における「表示情報生成部２０６」、本発明における「決定手段」は実施の形態における「表示機能決定部３１０」および「表示機能決定部６０１」が相当する。また、本発明の「処理手段」は実施の形態における「ＣＰＵ３０３」、本発明の「通信手段」は実施の形態における「通信部３０２」、本発明における「出力能力取得手段」および「通信状況取得手段」は実施の形態２におけるＩＣカード６００の「ＣＰＵ２０４」が相当する。なお、これらは、あくまで一例であり、特に限定されるものではなく、出力機能の一つとして、表示機能に追加して音声機能を設け、音声出力機能も出力機能の候補としても良いし、表示機能の代わりに音声機能のみを使用するようにしても良い。
【００８３】
以下、本実施の形態のサービス情報提供システム１００におけるサービス情報提供処理の全体的な動作について、図６を参照して説明する。
【００８４】
図６のステップＳ６０１において、改札機４００内の非接触Ｉ／Ｆ４０２は、ＩＣカード２００内の非接触Ｉ／Ｆ２０２に対して、改札データの送信を要求するコマンドを送信する。次いで、ステップＳ６０２において、ＩＣカード２００内の非接触Ｉ／Ｆ２０２は、改札機４００内の非接触Ｉ／Ｆ４０２から送信された改札データの送信を要求するコマンドに応じて、ＣＰＵ２０４によりメモリ２０５から読み出された改札データをレスポンスとして非接触Ｉ／Ｆ４０２に送信する。
【００８５】
次いで、ステップＳ６０３において、改札機４００内のＣＰＵ４０３は、非接触Ｉ／Ｆ４０２によりＩＣカード２００内の非接触Ｉ／Ｆ２０２からレスポンスとして受信された改札データを改札処理し、その処理結果として改札情報を非接触Ｉ／Ｆ４０２に出力するとともに、受信した改札データに基づいてメモリ４０４からサービスに関わる「付加情報」又は「サービス処理情報（例えば、改札情報）＋付加情報」を読み出して非接触Ｉ／Ｆ４０２に出力する。
【００８６】
次いで、ステップＳ６０４において、改札機４００内の非接触Ｉ／Ｆ４０２は、ＣＰＵ４０３から入力された「付加情報」又は「サービス処理情報（例えば、改札情報）＋付加情報」をＩＣカード２００内の非接触Ｉ／Ｆ２０２に送信する。この時、ＩＣカード２００内の非接触Ｉ／Ｆ２０２は、非接触Ｉ／Ｆ４０２から「付加情報」又は「サービス処理情報（例えば、改札情報）＋付加情報」を受信してＣＰＵ２０４に出力する。
【００８７】
次いで、ステップＳ６０５において、ＩＣカード２００内のＣＰＵ２０４は、非接触Ｉ／Ｆ２０２から入力された「付加情報」又は「サービス処理情報（例えば、改札情報）＋付加情報」のうち、付加情報を表示情報生成部２０６に出力する。そして、表示情報生成部２０６は、ＣＰＵ２０４から入力された付加情報のフィルタリング処理を実行する。
【００８８】
この表示情報生成部２０６において実行される付加情報のフィルタリング処理について、図７に示すフローチャートを参照して説明する。
【００８９】
まず、ステップＳ７０１において、表示情報生成部２０６は、非接触Ｉ／Ｆ２０２への付加情報の入力をＣＰＵ２０４が受けた時、ＣＰＵ２０４により起動される。そして、ＣＰＵ２０４から表示情報フィルタ２０６ａに付加情報が入力されると（ステップＳ７０２：ＹＥＳ）、ステップＳ７０３において、表示情報フィルタ２０６ａは、カード情報格納部２０６ｃに予め格納されたユーザの個人情報を読み出し、この個人情報に基づく解析項目と、入力された付加情報とを付加情報解析部２０６ｂに出力して、付加情報の解析処理を実行させる。
【００９０】
次いで、ステップＳ７０４において、付加情報解析部２０６ｂは、表示情報フィルタ２０６ａから入力される付加情報を、表示情報フィルタ２０６ａから入力される解析項目ごとにＹＥＳ／ＮＯで判断可能な部分と、ＹＥＳ／ＮＯで判断できない学習・推論機能を用いて解析する部分と、を分けて解析し、その解析結果を表示情報フィルタ２０６ａに出力する。
【００９１】
次いで、ステップＳ７０５において、表示情報フィルタ２０６ａは、付加情報解析部２０６ｂから入力される付加情報の解析結果と、先に読み出した個人情報とを用いて、付加情報はユーザに対する表示情報であると判断した場合、付加情報を表示情報更新部２０６ｄに出力して、情報提供者から指定されたデータフォーマットに再編集させ、その再編集後の付加情報をＣＰＵ２０４に出力する。
【００９２】
また、表示情報フィルタ２０６ａは、付加情報にアクセス先のアドレスが含まれ、このアドレスに自動的にアクセスするように設定されている場合、アクセス管理部２０６ｅに予め格納されたユーザのアクセス条件を読み出し、このアクセス条件に基づいてアクセス先への通信接続が可能か判断し、可能な場合は、携帯電話器３００のブラウザ機能を起動する起動指示情報をＣＰＵ２０４に出力する。
【００９３】
次いで、ステップＳ７０６において、ＣＰＵ２０４は、表示情報フィルタ２０６ａから入力された再編集後の付加情報、ブラウザ機能の起動指示情報を接触Ｉ／Ｆ２０３に出力して、本処理を終了する。
【００９４】
再び、図６に戻り、ステップＳ６０６において、ＩＣカード２００内の接触Ｉ／Ｆ２０３は、ＣＰＵ２０４から入力された再編集後の付加情報と、ブラウザ機能の起動指示情報と、情報表示要求とを携帯電話器３００内の接触Ｉ／Ｆ３１１に出力する。
【００９５】
携帯電話器３００内の接触Ｉ／Ｆ３１１は、ＩＣカード２００内の接触Ｉ／Ｆ２０３から入力された再編集後の付加情報と、ブラウザ機能の起動指示情報と、情報表示要求とをＣＰＵ３０３に出力する。ＣＰＵ３０３は、接触Ｉ／Ｆ３１１から入力された再編集後の付加情報と、ブラウザ機能の起動指示情報と、情報表示要求とのうち、再編集後の付加情報を表示機能決定部３１０に出力する。
【００９６】
次いで、ステップＳ６０７において、表示機能決定部３１０は、ＣＰＵ３０３から入力された再編集後の付加情報に基づいて表示機能決定処理を行う。
【００９７】
この表示機能決定部３１０において実行される表示機能決定処理について、図８に示すフローチャートを参照して説明する。
【００９８】
まず、ステップＳ８０１において、表示機能決定部３１０は、接触Ｉ／Ｆ３１１への付加情報の入力をＣＰＵ３０３が受けた時、ＣＰＵ３０３により起動される。そして、ステップＳ８０２において、表示機能フィルタ３１０ａは、ＣＰＵ３０３から再編集後の付加情報が入力されると、その付加情報の内容に基づいて、端末処理能力格納部３１０ｂに予め格納された処理能力情報を参照して表示機能（ブラウザか、エディタか）を決定する。
【００９９】
次いで、ステップＳ８０３において、表示機能フィルタ３１０ａは、付加情報のうち表示データに変換が必要なデータを判断する。表示機能フィルタ３１０ａは、表示データに変換が必要なデータが有ると判断した場合は（ステップＳ８０３：ＹＥＳ）、そのデータを表示情報変換部３１０ｃに出力して表示データに変換させる（ステップＳ８０４）。
【０１００】
そして、表示機能フィルタ３１０ａは、決定した表示機能の起動要求と変換した表示データをＣＰＵ３０３に出力して、本処理を終了する。また、表示機能フィルタ３１０ａは、表示データに変換が必要なデータが無いと判断した場合は（ステップＳ８０３：ＮＯ）、決定した表示機能の起動要求をＣＰＵ３０３に出力して、本処理を終了する。
【０１０１】
次いで、ＣＰＵ３０３は、表示機能決定部３１０から入力された表示機能の起動要求、表示データに応じて、メモリ３０４に記憶されたエディタプログラム又はブラウザプログラムを起動して、再編集された付加情報と、ステップＳ６０６において受信した改札情報を表示部３０９に表示する。
【０１０２】
再び、図６に戻り、ステップＳ６０８において、携帯電話器２００内のＣＰＵ３０３は、接触Ｉ／Ｆ３１１からＩＣカード２００内の接触Ｉ／Ｆ２０３に、表示処理の終了を示す応答（Ａｃｋ）を送信して、処理を終了する。
【０１０３】
また、表示機能決定部３１０内の表示機能フィルタ３１０ａは、表示機能としてブラウザを選択した場合、図５の端末処理能力情報では、電波要に設定されているため、ＣＰＵ３０３に通信部３０２の通信状況（通信可／通信不可）の通知を要求する。
【０１０４】
そして、表示機能フィルタ３１０ａは、ＣＰＵ３０３から通信状況（通信可）が入力されると、ブラウザ起動要求をＣＰＵ３０３に出力して、ブラウザを起動させて、再編集された付加情報を表示部３０９に表示させる。
【０１０５】
また、表示機能フィルタ３１０ａは、ＣＰＵ３０３から通信状況（通信不可）が入力された場合、ブラウザを起動できないため、エディタ起動要求をＣＰＵ３０３に出力して、エディタを起動させて、再編集された付加情報のうちテキスト情報を表示部３０９に表示させる。
【０１０６】
この場合、ＣＰＵ３０３は、通信不可により表示できなかった付加情報をメモリ３０４に保存しておき、通信可になったところで、付加情報の表示可能であること、ブラウザ起動可能であることなどを表示部３０９に表示して、ユーザの操作を促して、付加情報を確認させるようにしてもよい。
【０１０７】
また、ＩＣカード２００において、表示情報生成部２０６内の表示情報フィルタ２０６ａは、改札機４００から受信した付加情報にサービス情報を取得するアクセス先のアドレスが含まれ、このアドレスに自動的にアクセスするように設定されている場合、アクセス管理部２０６ｅに予め格納されたユーザのアクセス条件を読み出し、このアクセス条件に基づいてアクセス先への通信接続が可能か判断し、不可能の場合は、付加情報を携帯電話器３００に送信することを中止する。
【０１０８】
なお、通信状況を取得するタイミングは、アクセス方法決定処理より前であればいつでも構わない。
【０１０９】
この場合、表示情報フィルタ２０６ａは、アクセス条件に適しない付加情報であることを携帯電話器２００に表示させて、情報提供サイトへのアクセスをユーザに判断させるようにしてもよい。
【０１１０】
以上のように、本実施の形態のサービス情報提供システム１００によれば、携帯電話器３００内に装着したＩＣカード２００に予め登録した個人の属性情報によりフィルタリングして個人属性に合ったサービス情報を携帯端末の処理能力に応じて適切な形で表示可能にしたため、携帯電話器３００のユーザ及び改札機４００に付加情報を提供する情報提供者に負担をかけることなく、個人の属性に応じた付加情報の配信を確実に行うことができる。
【０１１１】
なお、付加情報にアクセス先のアドレスが含まれる場合の処理として、例えば、アクセス情報としてＵＲＬが記述されている場合、当該ＵＲＬへアクセスして表示するようにしてもよいし、当該ＵＲＬへアクセスせずに、当該ＵＲＬを表示（クリックすればアクセスできる）するようにしてもよい。このようにすることにより、ＵＲＬへアクセスするために通信手段の使用に通信料がかかる場合、ユーザに無断で通信料を発生させることを防止することができる。
【０１１２】
また、例えば、アクセス情報としてＵＲＬが記述されている場合、当該ＵＲＬへのアクセスを可能とするため、通信状況がインターネットへの接続が不可能な場合は、インターネット接続可能な場所へ移動すればインターネットへの接続が可能である旨のメッセージなどを表示すれば、ユーザのインターネットへのアクセスを促すことができる。
【０１１３】
また、ＩＣカード２００内に予め記憶された個人情報は、ユーザ自身が入力するものではなく、信頼性のある第三者、例えば、携帯電話器３００を運用する通信会社などにより予め登録され、カード情報格納部２０６ｃ内の書き換え不可能な領域に記憶させるため、個人情報の改竄によるユーザの成りすましや、情報提供者が意図しないユーザに付加情報が配信されることを防止することができる。
【０１１４】
したがって、サービス情報提供システムを低コストで実現することができ、信頼性も向上させることができる。
【０１１５】
（実施の形態２）
図９は、本発明の実施の形態２に係るサービス情報提供システムの構成を示すブロック図であり、図１に示したサービス情報提供システム１００と同一の構成部分には、同一符号を付して説明を省略する。
【０１１６】
図９に示すサービス情報提供システム５００において、図１に示したサービス情報提供システム１００と異なる構成は、ＩＣカード６００内に表示機能決定部６０１を設けたことである。この表示機能決定部６０１の構成は、図１の携帯電話器３００内に設けていた表示機能決定部３１０と同一構成であるため、その構成の図示と説明を省略する。
【０１１７】
また、図５において、携帯電話器７００は、表示機能決定部３１０を除いて図１に示した携帯電話器３００の構成と同一であるため、説明を省略する。
【０１１８】
このように、ＩＣカード６００内に表示機能決定部６０１を設けることにより、携帯電話器７００は、ＩＣカード６００から付加情報と表示機能の起動要求を受けるだけになり、汎用的な携帯電話器を使用することが可能になる。
【０１１９】
このため、サービス情報提供システム５００は、ＩＣカード６００をユーザに提供するだけで実現することができ、更にシステムコストを低減することができる。また、情報提供業者は、ターゲットとするユーザの属性に合わせて、予め付加情報に関わるアクセス条件などを容易に設定することができ、サービスの展開が容易になる。
【０１２０】
また、この場合、表示機能決定部６０１内の端末処理能力格納部３１０ｂには、携帯電話器の処理能力情報を記憶させず、ＩＣカード６００が携帯電話器７００に初めて装着されたときに、携帯電話器７００から処理能力情報を取得するプログラムをメモリ２０５に記憶させておけばよい。
【０１２１】
このようにすれば、携帯電話器７００のユーザは、ＩＣカード６００に処理能力情報を設定する手間を省略することができ、サービス情報提供システムの利便性も向上させることができる。
【０１２２】
また、同様に、ＩＣカード６００がこの携帯電話器７００に装着された際、ＩＣカード６００がその携帯電話器７００より当該携帯電話器７００における通信状況に関する情報を取得して、出力情報と、当該携帯電話器７００の処理能力と、取得した当該携帯電話器７００の通信状況とに基づいて、前記出力情報を表示する際の表示機能を決定するプログラムをメモリ２０５に記憶させておくようにしても良い。
【０１２３】
このようにすれば、ＩＣカード６００側で携帯電話器７００における出力情報の表示機能まで決定してしまうので、通信状況に応じてアクセス情報へのアクセス方法を自動的に決定することができ、通信状況を監視する手間とアクセス方法を選択する手間を省略することができると共に、携帯電話器７００としては、そのためのプログラムを搭載する必要がなくなる。
【０１２４】
以下、上記各実施の形態のサービス情報提供システムを利用して個人情報を案内する具体例について説明する。
【実施例１】
【０１２５】
本実施例１では、テーマパークにおいてユーザにアトラクションの混雑状況を通知する場合を説明する。
【０１２６】
図１０は、上記改札機４００から携帯電話器３００（又は、７００）に装着されたＩＣカード２００（又は、６００）に送信される付加情報として、テーマパークのアトラクションの混雑状況を通知する場合の例を示すものである。
【０１２７】
改札機は、各アトラクションのゲートとして設置されており、ユーザは、ＩＣカードを装着した携帯電話器をゲートに近づけることにより、改札が行えるものとする。この場合、ＩＣカード内の表示情報生成部は、予め改札済みのアトラクション名の改札データに基づいて、改札機から送信されるアトラクション混雑状況情報をフィルタリングして、表示すべき付加情報を決定して携帯電話器に出力する。
【０１２８】
図１０に示す改札機から送信されるアトラクション混雑状況情報には、アトラクション名「ＢＢＢＢＢＢ、ＡＡＡＡＡＡ、ＣＣＣＣＣＣ、ＤＤＤＤＤＤ、ＥＥＥＥＥＥ、ＦＦＦＦＦＦ」に対する各待ち時間が含まれている。
【０１２９】
そして、ユーザは、アトラクション「ＢＢＢＢＢＢ、ＣＣＣＣＣＣ、ＥＥＥＥＥＥ、ＦＦＦＦＦＦ」の改札を済ませており、これらの改札データがＩＣカード内のメモリに記憶されているものとする。
【０１３０】
改札機から図１０のアトラクション混雑状況情報を受信したＩＣカードは、メモリ内に記憶された改札データに基づいて、受信したアトラクション混雑状況情報をフィルタリングして、図１１に示す表示すべき付加情報を決定して携帯電話器に出力する。
【０１３１】
したがって、ユーザは、所定の場所まで行かなくても、人気の高いアトラクションの待ち時間を手元の携帯電話器で確認することができ、効率的にテーマパークを楽しむことができる。
【実施例２】
【０１３２】
本実施例２では、ユーザ個人に対してイベント情報を案内する場合を説明する。
【０１３３】
図１２は、上記改札機４００から携帯電話器３００（又は、７００）に装着されたＩＣカード２００（又は、６００）に送信される付加情報として、デパートのセール情報を通知する場合の例を示すものである。
【０１３４】
改札機は、デパートの各入り口や売り場のレジに設置されており、ユーザは、ＩＣカードを装着した携帯電話器を入り口や売り場のレジの改札機に近づけることにより、改札が行えるものとする。この場合、ＩＣカード内の表示情報生成部は、予め記憶された個人情報に基づいて、改札機から送信されるセール情報をフィルタリングして、表示すべき付加情報を決定して携帯電話器に出力する。
【０１３５】
図１２に示す改札機から送信されるセール情報には、デパート内の各階（Ｂ２Ｆ〜９Ｆ）の案内情報と、セールを開催中の店舗名が含まれている。
【０１３６】
また、個人情報には、名前、性別、生年月日、及びクレジットカード情報が設定されているものとする。ＩＣカード内の表示情報生成部がフィルタリングするキーワードは、「性別」であるものとする。
【０１３７】
改札機から図１２のデパートのセール情報を受信したＩＣカードは、メモリ内に記憶された個人情報に基づいて、受信したセール情報を「性別」でフィルタリングして、図１３に示す表示すべき付加情報を決定して携帯電話器に出力する。
【０１３８】
したがって、ユーザは、不要な情報が削除されて表示されるため、好みの商品をセールしている各階の店舗を効率よく回ることができ、普段と異なる場所で開催されているセール会場を見逃すといった状況も回避することができる。
【０１３９】
また、個人情報に、名前、性別、生年月日、メンバーズカード情報、クレジットカード情報が設定されていて、ＩＣカード内の表示情報生成部がフィルタリングするキーワードは、「性別」と「メンバーズカード情報」である場合に、図１２のセール情報からフィルタリングされた付加情報の例を図１４に示す。
【０１４０】
また、ユーザが携帯電話器の基地局から離れていて、携帯電話器内の表示機能決定部は、携帯電話器から情報提供サイトにアクセスできない状況にあると判断した場合は、エディタ起動要求をＣＰＵに出力して、付加情報をテキスト形式（ＵＲＬ部分はアンダーラインと色などにより識別表示）で表示部に表示させるようにしても良い。
【０１４１】
このようにすることにより、ユーザは基地局の通信可能範囲に移動してから、情報提供サイトにアクセスすることが可能になり、サービス情報をユーザに確実に見せることができる。
【０１４２】
このように、キーワードの設定によってセール情報からフィルタリングする付加情報を容易に変更することができ、ユーザ個人の属性に応じたセール情報の配信サービスを容易に行うことができる。
【実施例３】
【０１４３】
本実施例３では、ユーザ個人に対してバス到着時刻情報を案内する場合を説明する。
【０１４４】
図１５は、上記改札機４００から携帯電話器３００（又は、７００）に装着されたＩＣカード２００（又は、６００）に送信される付加情報として、目的地までの各停留所のバス到着時刻情報を通知する場合の例を示すものである。
【０１４５】
改札機は、バス内の非接触Ｒ／Ｗ機能付き改札機として設置されており、ユーザは、ＩＣカードを装着した携帯電話器をバス内の改札機に近づけることにより、改札が行えるものとする。この場合、ＩＣカード内の表示情報生成部は、予め記憶された乗車券に記載されている区間情報に基づいて、改札機から送信されるバス到着時刻表情報をフィルタリングして、表示すべき付加情報を決定して携帯電話器に出力する。
【０１４６】
改札機からバス到着時刻表情報を受信したＩＣカードは、メモリ内に記憶された乗車券の区間情報に基づいて、受信したバス到着時刻表情報をフィルタリングして、図１５に示す表示すべき付加情報を決定して携帯電話器に出力する。
【０１４７】
したがって、ユーザは、乗車券の区間情報によって不要な情報が削除されて表示されるため、煩雑な到着時刻表に迷うことなく、行き先の到着予定時刻だけを容易に知ることができる。
【０１４８】
このような到着時刻案内は、電車の発車時刻案内にも容易に適用することができ、その他の輸送機関にも容易に適用可能である。
【０１４９】
なお、上記各実施の形態では、端末装置として携帯電話器の例を説明したが、これに限るものではなく、例えば、通信機能を内蔵した携帯型情報端末装置でもよい。また、ローカルサーバとして改札機の例を説明したが、これに限るものではなく、例えば、ＰＯＳ端末やＡＴＭに本発明を適用すれば、店舗独自の付加情報や金融機関独自の付加情報などを配信することも可能である。
【産業上の利用可能性】
【０１５０】
本発明に係る端末装置、ＩＣカード、サービス情報提供システムは、情報提供者が設置するローカルサーバ等の送信装置から送信される付加情報を、端末装置又はＩＣカードに予め登録した個人の属性情報によりフィルタリングして個人情報に合った付加情報を、その端末装置の処理能力等に応じて自動的に表示可能して、端末装置のユーザ及び情報提供者に負担をかけることなく、個人の属性に応じたサービス情報の配信を実現することができるという効果を有し、改札機や、ＰＯＳ端末やＡＴＭ等の送信装置、携帯電話器や通信機能を内蔵した携帯型情報端末装置等の端末装置、及びＩＣカードからなるサービス情報提供システムに本発明を適用すれば、店舗独自の付加情報や金融機関独自の付加情報などを配信するシステムや、テーマパークにおいてユーザにアトラクションの混雑状況を通知するシステム、ユーザに対してイベント情報やバス等の乗り物の到着時刻情報を案内するシステムが可能である。
【図面の簡単な説明】
【０１５１】
【図１】本発明の実施の形態１に係るサービス情報提供システムの構成を示すブロック図
【図２】図１の表示情報生成部の内部構成を示すブロック図
【図３】図２のカード情報格納部に格納される個人情報の一例を示す図
【図４】図１の表示機能決定部の内部構成を示すブロック図
【図５】図４の端末処理能力格納部に格納される処理能力情報の一例を示す図
【図６】実施の形態１のサービス情報提供システムにおける全体的な動作を説明するためのシーケンス図
【図７】図２の表示情報生成部の動作を説明するためのフローチャート
【図８】図４の表示機能決定部の動作を説明するためのフローチャート
【図９】本発明の実施の形態２に係るサービス情報提供システムの構成を示すブロック図
【図１０】実施例１に係るテーマパークのアトラクションの混雑状況を通知する付加情報の一例を示す図
【図１１】図１０のアトラクション混雑状況情報からフィルタリングした付加情報の一例を示す図
【図１２】実施例２に係るデパートの各階のセール情報を通知する付加情報の一例を示す図
【図１３】図１２のセール情報からフィルタリングした付加情報の一例を示す図
【図１４】図１２のセール情報からフィルタリングした付加情報の他の例を示す図
【図１５】実施例３に係るバス到着時刻表からフィルタリングした付加情報の一例を示す図
【符号の説明】
【０１５２】
１００、５００  サービス情報提供システム
２００、６００  ＩＣカード
２０１、３０１、４０１  アンテナ
２０２、４０２  非接接触Ｉ／Ｆ
２０３  接触Ｉ／Ｆ
２０４、３０３、４０３  ＣＰＵ
２０５、３０４、４０４  メモリ
２０６  表示情報生成部
２０６ａ  表示情報フィルタ
２０６ｂ  付加情報解析部
２０６ｃ  カード情報格納部
２０６ｄ  表示情報更新部
２０６ｅ  アクセス管理部
３００、７００  携帯電話器
３０２  通信部
３０５  コンバータ
３０６  マイクロホン
３０７  スピーカ
３０８  入力部
３０９  表示部
３１０、６０１  表示機能決定部
３１０ａ  表示機能フィルタ
３１０ｂ  端末処理能力格納部
３１０ｃ  表示情報変換部
４００  改札機
【図１】
2005092870.tif 000003
【図２】
2005092870.tif 000004
【図３】
2005092870.tif 000005
【図４】
2005092870.tif 000006
【図５】
2005092870.tif 000007
【図６】
2005092870.tif 000008
【図７】
2005092870.tif 000009
【図８】
2005092870.tif 000010
【図９】
2005092870.tif 000011
【図１０】
2005092870.tif 000012
【図１１】
2005092870.tif 000013
【図１２】
2005092870.tif 000014
【図１３】
2005092870.tif 000015
【図１４】
2005092870.tif 000016
【図１５】
2005092870.tif 000017